(57)【要約】【課題】無線電話機の自動応答に際しての当該無線電話機のバッテリーの電力消費を軽減できる無線電話方式を提供する。【解決手段】無線電話機１は、自動応答時に着信があると、呼出音の発生が禁止され、アンテナ７を備える無線回路部６より、所定の短い応答データを無線基地局１０に送信するが、これにより当該無線電話機のバッテリーの電力消費は大幅に軽減され、他方、無線基地局１０は、上記無線電話機より送信されてきた所定の短い応答データを受信して、自動応答メッセージメモリＭＭに記憶している十分な応答メッセージを発呼側の電話機に送信するように構成した。【選択図】　　　　図１
2004007758.tif 000002
【特許請求の範囲】
【請求項１】
特定のモードが選択されている無線電話機に、無線基地局を介して呼出信号が送られてきて着信があったときには、当該無線電話機では呼出音の発生が禁止され、更に上記無線基地局に応答メッセージを送信させるための所定の短い応答データが当該無線電話機より上記無線基地局に送信され、他方、上記無線基地局は、上記無線電話機より送信されてきた所定の短い応答データを受信して、これに対応する応答メッセージを発呼側の電話機に送信することを特徴とする無線電話方式。
【請求項２】
上記特定のモードが選択されている上記無線電話機は、上記着信があったときには、更に、発呼側の電話機の電話番号及び当該着信に係る着信時刻を含む着信情報を記憶し、後にキー入力を受けて当該着信情報を表示することを特徴とする請求項１記載の無線電話方式。
【発明の詳細な説明】
【０００１】
【発明の属する技術分野】
本願発明は、無線電話方式及び無線電話システムに係り、特に無線電話機の自動応答に際してのこの無線電話機のバッテリーの電力消費を大幅に低減できるものに関する。
【０００２】
【従来の技術】
無線電話システムは、無線基地局を介して、無線電話機間或いは無線電話機と一般の電話機との間の通話を可能にするものであり、近年、広く実用に供されている。この無線電話システムの無線電話機では、着信があると呼出音が発生し、これを聴いた当該無線電話機の携帯者が、オフフックキーを操作したときには当該無線電話機と発呼側の電話機とは接続され通話が可能になる。
【０００３】
ところで、電車の中等の公衆の場で、携帯中の無線電話機に着信があり、上記呼出音が発生すると、周囲の人に迷惑をかけるが、この点に鑑みて、キー操作により、呼出音の発生に代えて発光素子の点滅等で、着信報知を行えるようにした無線電話機も実用に供されている。しかし、この種の無線電話機は、鞄の中に入れて携帯している等の携帯の態様によっては、着信があっても携帯者はそれを認識できない。そこで、着信があったときには、発呼側の電話機の電話番号を記憶すると共に、予め記憶されている応答メッセージを発呼側の電話機に送信するモードをキー操作で選択できる自動応答機能付き無線電話機も提案されている。
【０００４】
なお、ある種の無線電話システムでは、発呼側の電話機の所有者の登録により、その電話番号を相手側の電話機に送信するサービスを提供しており、このサービスは、近い将来、一般の電話システムにも拡張されていく傾向にある。
【０００５】
【発明が解決しようとする課題】
ところで、上記自動応答機能付き無線電話機は、応答メッセージを、当該自動応答機能付き無線電話機のバッテリーより電源供給を受けて、当該自動応答機能付き無線電話機から送信する。この応答メッセージの送信によるバッテリーの電力消費は、無視できないもので、応答メッセージが長いものであるときは、極めて大きいものになる。
本願発明は、上述の如き事情に鑑みてなされたもので、無線電話機の自動応答に際しての当該無線電話機のバッテリーの電力消費を大幅に軽減できる無線電話方式及び無線電話システムの提供を目的とする。
【０００６】
【課題を解決するための手段】
請求項１の発明では、無線電話方式を次のようにした。すなわち、特定のモードが選択されている無線電話機に、無線基地局を介して呼出信号が送られてきて着信があったときには、当該無線電話機では呼出音の発生が禁止され、更に上記無線基地局に応答メッセージを送信させるための所定の短い応答データが当該無線電話機より上記無線基地局に送信され、他方、上記無線基地局は、上記無線電話機より送信されてきた所定の短い応答データを受信して、これに対応する応答メッセージを発呼側の電話機に送信するようにした。
【０００７】
請求項２の発明では、無線電話方式を次のようにした。すなわち、請求項１の発明における上記特定のモードが選択されている上記無線電話機は、上記着信があったときには、更に、発呼側の電話機の電話番号及び当該着信に係る着信時刻を含む着信情報を記憶し、後にキー入力を受けて当該着信情報を表示するようにした。
従って、上記請求項２の発明（請求項１の発明の構成要件を包含し、更に新たな構成要件を付加した発明）に係る無線通信方式を採用した無線システムの場合、それは、次のような無線電話機及び無線基地局を備える。すなわち、無線電話機は、発呼側の電話機の電話番号を含む着信情報が記憶される着信メモリと、着信があったときに、呼出音の発生を禁止すると共に、上記着信メモリに着信情報を記憶させ、更に所定の応答データを無線基地局に送信する自動応答制御手段と、キー入力を受けて、上記着信メモリに記憶されている着信情報を、順次、所定個数ずつ表示する表示部と、アンテナを備えて上記無線基地局との間で無線信号を送受信する無線回路部とを具備する構成のもので、　他方、上記無線基地局は、応答メッセージが記憶されている応答メッセージメモリと、呼出中の上記無線電話機より上記所定の応答データが送信されてきたときに、この無線電話機との間の無線回線を切断し、発呼側の電話機に上記応答メッセージメモリに記憶されている応答メッセージを送信する応答メッセージ送信制御手段と、アンテナを備えて上記無線電話機との間で無線信号を送受信する無線部とを具備する構成のものとなる。
【０００８】
次に、上記各請求項の発明における作用について説明する。
請求項１の発明では、無線電話機は、自動応答に際し、呼出音の発生が禁止され、所定の短い応答データを上記無線基地局に送信するだけなので、当該無線電話機のバッテリーの電力消費は大幅に軽減され、他方、無線基地局は、上記無線電話機より送信されてきた所定の短い応答データを受信して、これに対応する応答メッセージを発呼側の電話機に送信するので、発呼者は、十分な応答メッセージを受けることが出来る。
請求項２の発明では、無線電話機は、自動応答に際し、発呼側の電話機の電話番号及び着信時刻を含む着信情報を記憶し、後にキー入力を受けて当該着信情報を表示するので、当該無線電話機の使用者は自動応答時の発呼側の電話機の電話番号等を認識できる。
【０００９】
【発明の実施の形態】
以下、図面に示す実施の形態に基づいて本願発明を具体的に説明する。
図１は本願発明の一実施の形態に係る無線電話システムの構成を示すものである。即ち本実施の形態は、無線電話機１（同図には１個だけが図示されているが、実際は多数個が存在する）と無線基地局１０とから構成されている。無線電話機１において、制御部２は、ＣＰＵ及びこの無線電話機１の各種動作に係るプログラムを固定的に記憶するＲＯＭ等からなり、接続している各回路部に制御信号を送り、それらを制御すると共に送られてきた信号を処理加工して送出する回路部である。表示部３は、この無線電話機１の見易い位置に配設されて、制御部２からのデータを表示する回路部であり、キー入力部４は、オフフックキースイッチ（通話キースイッチ）、オンフックキースイッチ（終話キースイッチ）、ダイヤルキースイッチ等の一般的なスイッチ以外に、後述の各種スイッチを備え、これらのいずれかが操作された時に対応するキー入力信号を制御部２に送出する回路部である。
【００１０】
ＲＡＭ５は、制御部２の制御の下に、制御部２からのデータを記憶すると共に記憶しているデータを制御部２に送出する回路部である。このＲＡＭ５中に設けられている着信メモリＴＭは、自動応答時すなわち着信記録モードにおいて着信があったときに、その着信時刻と発呼側電話機の電話番号とからなる着信情報が記憶されるメモリである。アンテナ７を備える無線回路部６は制御部２の制御の下に無線による送受信動作を行なう回路部である。
マイクロホン８は、送話用の音声を入力し、これを電気信号に変換して制御部２に送る回路部であり、スピーカ９は、受話用或いは呼出音用の電気信号を制御部２より入力し、これを音声或いは呼出音に変換して出力する回路部である。
【００１１】
無線基地局１０において、制御部１１は、ＣＰＵ及びこの無線基地局１０の各種動作に係るプログラムを固定的に記憶するＲＯＭ等からなり、接続している各回路部（図示されていない各種回路、例えば公衆回線が接続されているコントロールターミナルイクエップメントを含む）に制御信号を送り、それらを制御すると共に送られてきた信号を処理加工して送出する回路部である。
ＲＡＭ１２は、制御部１１の制御の下に、制御部１１からのデータを記憶すると共に記憶しているデータを制御部１１に送出する回路部である。このＲＡＭ１２中に設けられている自動応答メッセージメモリＭＭは、着信があった無線電話機１から所定の短い応答データが送られてきたときに、発呼側の電話機に送り返す応答メッセージ（例えば、「後刻連絡します」といった応答メッセージ）が記憶されているメモリである。アンテナ１４を備える無線部１３は制御部１１の制御の下に無線による送受信動作を行なう回路部である。
【００１２】
次に以上の如くに構成された本実施の形態の動作を説明する。図２は上記無線電話機１の動作の概要を示すジェネラルフローチャートである。即ち、無線電話機１では、電源投入と共にステップＳ１に進みこのステップＳ１では、着信があったかを判断し、着信がなかった時はステップＳ１０に進み、キー入力部４のいずれかのキースイッチが操作されキー入力があったかを判断する。キー入力がなかった時はステップＳ１に戻り、以下、着信及びキー入力を待機し、ステップＳ１、Ｓ１０の処理を繰返す。そして着信があったときは、それをステップＳ１で検出し、ステップＳ２に進み、現在、着信記録モードになっているかを判断し、着信記録モードになっていないとき、すなわち通常モードのときは、ステップＳ５に進み、スピーカ９から呼出音を発生する着信報知を実行し、続くステップＳ６ではオフフックキースイッチの操作を待機し、この操作があった時は、これを上記ステップＳ６で検出し、次のステップＳ７の通話処理に進む。
【００１３】
ステップＳ７の通話処理では、携帯電話機の送話受話に係る各種処理が実行されるが、その１つの処理を実行するたびにステップＳ８に進み、オンフックキースイッチが操作されたかを判断し、操作されていない時は上記ステップＳ７に戻る。このようにして上記通話処理を実行しながらオンフックキースイッチの操作を待機し、オンフックキースイッチの操作があったときは、それをステップＳ８で検出しステップＳ１に戻り、前述の着信及びキー入力の待機状態となる。そして待機中に前記キースイッチのいづれかが操作されキー入力があった時は、それをステップＳ１０で検出し、ステップＳ１１のキー入力処理へと進み、上記キー入力に対応する処理が実行され、その後、ステップＳ１に戻る。
上記ステップＳ２で着信記録モードになっていると判断したときは、ステップＳ３、Ｓ４で示される着信記録モードでの動作が実行されるが、これについては、後に詳述する。
なお、図３は上記ステップＳ１１のキー入力処理を詳細に示すフローチャートであり、図４は、着信メモリＴＭに記録されている着信情報を表示部３に表示したときの表示例を示すものである。以下、上記各図面を参照しながら、本実施例の主要な動作を説明していく。
【００１４】
（イ）着信記録モードでの動作
上記通常モードから着信記録モードに切替えるには、キー入力部４の着信記録モードキースイッチを操作する。この場合、図２のステップＳ１０からステップＳ１１すなわち図３のキー入力処理へと進む。そして、ステップＳ２０で上記操作を検出し、続くステップＳ２１で着信記録モードとする。
着信記録モードで、着信があった場合は、前記図２のステップＳ１からステップＳ２に進み、このステップで着信記録モードになっていると判断し、ステップＳ３に進み、その時点の現在時刻すなわち着信時刻と、送られてきた発呼側の電話機の電話番号とを、一対にして１つの着信情報として着信メモリＴＭに記録する。しかる後、ステップＳ４では所定の短い応答データを読込んで、このデータを無線回路部６に与えて送信させる。この場合、無線基地局１０では、無線部１３は上記所定の短い応答データを受信し、これを制御部１１に与える。そして、制御部１１は、上記データに基づき自動応答メッセージメモリＭＭより、応答メッセージを読出して、これを発呼側の電話機に送信することになる。上記の図１のステップＳ４の処理を終えたときには、ステップＳ１に戻り、前記待機状態となる。
以上の動作は、着信記録モードにおいて着信がある度に繰返され、上記着信情報が着信メモリＴＭに蓄積されていく。
【００１５】
（ロ）着信メモリＴＭに記憶されている着信情報の確認動作
上記のようにして、着信メモリＴＭに蓄積された着信情報すなわち着信記録モードにおいて無線電話機１に電話を掛けてきた発呼側の電話機の電話番号等を確認するときには、キー入力部４の記録表示キースイッチを操作する。この場合、当該操作を図３のステップＳ２２で検出して、次のステップＳ２３に進み、図４に示すように表示部３へ、着信メモリＴＭに記憶されている着信情報のうち着信時刻の古い６個を、古い順で上方から表示する。新しい着信情報をも確認するときは、キー入力部４のスクロールキースイッチを操作していく。この場合、当該操作がある度に、これを図３のステップＳ２４で検出して、次のステップＳ２５に進み、表示部３の最も上に表示されている着信情報を消去し、他の着信情報を１段ずつ上方に表示し新たな着信情報を最下方に追加表示していくスクロール表示が行われていく。これにより、無線電話機１の使用者は、着信メモリＴＭに記憶されている全着信情報を確認できることになる。
【００１６】
（ハ）簡易呼出時の動作
無線電話機１を着信記録モードにしておいたときに、この無線電話機１を呼出した発呼側の電話機を、逆に、この無線電話機１より呼出すときは、前記の様にしてその発呼側の電話機の着信情報すなわち電話番号を表示部３に表示し、更にキー入力部４の指定変更キースイッチを操作して、その着信情報の下に指示ライン（図４において最上方の着信情報の下に図示されているライン）をもっていき、その上で、キー入力部４の簡易呼出キースイッチを操作する。このとき、上記指定変更キースイッチを操作する度に、それを図３のステップＳ２６で検出し、次のステップＳ２７に進み、上記指示ラインを１個だけ下の着信情報の下部に替えて表示していく（最下方の着信情報の下部にきたときは、最上方の着信情報の下部に替える）。また、上記簡易呼出キースイッチの操作があったときは、それを図３のステップＳ２８で検出し、次のステップＳ２９に進み、表示部３において上記指示ラインが施されている着信情報に係る電話番号を着信メモリＴＭより読出して、この電話番号に係る電話機を呼出す呼出信号を無線回路部６より送出する。
【００１７】
なお、本願発明は上記実施の形態に限定されず、本発明を逸脱しない範囲内において種々変形応用可能である。例えば、上記実施例では、無線電話機１は、着信記録モードにおいて着信があると、その着信情報を着信メモリＴＭに記憶するものであったが、この動作を行わず、無線基地局１０から「後刻、再度、電話を下さい」といった応答メッセージが発呼側の電話機に送られるような所定の短い応答データだけを無線基地局１０に送出するようにしてもよいことは無論である。
また、上記実施の形態では、無線電話機１は着信メモリＴＭの着信情報を表示部３に複数個ずつ表示するものであったが、これを１個ずつ表示するものとして、ある着信情報が表示されているときに、前記簡易呼出キースイッチが操作されたときには、表示中の着信情報すなわち電話番号の電話機を呼出すようにしてもよいことは勿論である。
【００１８】
【発明の効果】
以上詳述したように、本願発明によれば、無線電話機の自動応答に際しての当該無線電話機のバッテリーの電力消費を大幅に軽減できる無線電話方式の提供を可能とする。
【図面の簡単な説明】
【図１】本願発明の一実施の形態の構成を示す図である。
【図２】上記実施の形態における無線電話機の動作の概要を示すジェネラルフローチャートである。
【図３】上記図２におけるキー入力処理を詳細に示すフローチャートである。
【図４】表示部における着信情報の表示例を示す図である。
【符号の説明】
１　無線電話機
２　制御部
３　表示部
４　キー入力部
５　ＲＡＭ
６　無線回路部
７　アンテナ
８　マイクロホン
９　スピーカ
１０　無線基地局
１１　制御部
１２　ＲＡＭ
１３　無線部
１４　アンテナ
ＴＭ　着信メモリ
ＭＭ　自動応答メッセージメモリ
【図１】
2004007758.tif 000003
【図２】
2004007758.tif 000004
【図３】
2004007758.tif 000005
【図４】
2004007758.tif 000006